(57)【特許請求の範囲】
【請求項１】
加熱調理器の本体と、
該本体の上面に配置し被加熱物を載置するトッププレートと、
該トッププレートの周囲端面を保護するフレームとを備え、
該フレームの裏面には、
前記本体をシステムキッチンに設置して組み込んだときに、前記本体の自重によって押し潰され、前記フレームと前記システムキッチンの天板との間に生じる隙間からの液体の浸入を防止するためパッキンと、該パッキンより外周端面側に異物の侵入を防ぐ保護部材を設け、
前記パッキンと前記保護部材は同じ材料で同じかたさになるように一体に成型し、成型した前記保護部材は前記パッキンの厚みより薄いことを特徴とする加熱調理器。
【発明の詳細な説明】
【技術分野】
【０００１】
本発明は、加熱調理器に関するものである。
【背景技術】
【０００２】
近年、システムキッチンの普及に伴い、システムキッチンの天板に設けられた開口部に落とし込むビルトイン型の加熱調理器も多く普及してきた。
【０００３】
このビルトイン型の加熱調理器はシステムキッチンとの一体感を得ることができる反面、システムキッチンの天板に水などをこぼすと、加熱調理器とシステムキッチンの天板との隙間から浸入した水が天板に設けられた開口部からキッチンの中に浸入する可能性があった。
【０００４】
そこで、これらの問題を解決するものとして特許文献１に示すように、加熱調理器のトッププレートの外周端部裏面に防水パッキン（パッキン）を配設して、加熱調理器のトッププレートとシステムキッチンの天板との隙間から浸入する水を防ぎ、さらに防水パッキンの外側に外装部材（保護部材）を設け、隙間から侵入する異物による防水パッキンの損傷を防ぐようにした加熱調理器が記載されている。
【先行技術文献】
【特許文献】
【０００５】
【特許文献１】特開２００８−５７８０２号公報
【発明の概要】
【発明が解決しようとする課題】
【０００６】
上記した特許文献１に示す防水パッキン（パッキン）に使用される材質は柔軟性に富んだゴム製であるのに対して、外装部材（保護部材）は防水パッキン（パッキン）と比べ硬質の弾性体であるゴムからなっている。
【０００７】
そのため、システムキッチンの天板に生じる凹凸に対して、保護部材は防水パッキンと同じように馴染むことができない。そのため、外装部材が天板の凸部に乗り上げた状態で加熱調理器の本体をシステムキッチンに組み込むと、トッププレートが持ち上げられ、凸部に乗り上げていない防水パッキンの圧着状態が緩和され十分な防水効果が期待できない課題がある。
【課題を解決するための手段】
【０００８】
本発明は、上記課題を解決するためになされたもので、加熱調理器の本体と、該本体の上面に配置し被加熱物を載置するトッププレートと、該トッププレートの周囲端面を保護するフレームとを備え、該フレームの裏面には、前記本体をシステムキッチンに設置して組み込んだときに、前記本体の自重によって押し潰され、前記フレームと前記システムキッチンの天板との間に生じる隙間からの液体の浸入を防止するためパッキンと、該パッキンより外周端面側に異物の侵入を防ぐ保護部材を設け、前記パッキンと前記保護部材は同じ材料で同じかたさになるように一体に成型し、成型した前記保護部材は前記パッキンの厚みより薄いものである。
【発明の効果】
【０００９】
本発明によれば、パッキンより外周側に設ける保護部材がシステムキッチンの天板に生じた凸部に乗り上げた状態でシステムキッチンに設置されても、パッキンの圧着状態は変化しないので、システムキッチンの天板とトッププレートの外周端部を保護するフレームの裏面に設けたパッキンからの水や煮汁の浸入を防止することができる。
【図面の簡単な説明】
【００１０】
【図１】ビルトイン型の加熱調理器をシステムキッチンに収納した状態の斜視図である。
【図２】加熱調理器のフレームの断面を示す説明図である。
【図３】加熱調理器のフレームとシステムキッチンの天板の断面を示す説明図である。
【図４】加熱調理器をシステムキッチンへ組み込んだ時のフレームの断面を示す説明図である。
【発明を実施するための形態】
【００１１】
以下、本発明の実施例を添付図面に従って説明する。
【００１２】
図１から図４は本発明の加熱調理器の一実施例を示している。図１に示されている調理器は、トッププレート３上に三ヶ所の鍋載置部６ａ，６ｂ，６ｃを設けたビルトイン型の加熱調理器である。
【００１３】
加熱調理器の本体２は、システムキッチン１の上面から落とし込んで設置することで組み込まれる。設置後は加熱調理器２のロースター（グリル）４と操作パネル５がシステムキッチン１の前面部から操作できるようになっている。
【００１４】
調理を行う際の被加熱物である調理鍋（図示せず）は、本体２の上面に配置された耐熱ガラス等からなるトッププレート３上に載置されも、載置部（トッププレート３の上面手前に載置部右６ａと載置部左６ｂが配置され、これら両載置部の奥に載置部中央６ｃ）６の下に調理鍋を加熱する加熱コイルが搭載されている。
【００１５】
トッププレート３は、周囲端面を保護するためのフレーム１４が設けられている。フレーム１４は、トッププレート３の手前側に取り付けられるフレーム前１４ａと、後方側に取り付けられるフレーム後１４ｂと、右側に取り付けられるフレーム右１４ｃと、左側に取り付けられるフレーム左１４ｄから構成されている。本例は４ピースにフレームを分割しているが一体型でも２ピースでも何ピースでも可能である。また、フレームはトッププレート３の上面を保護することなく、トッププレート３の強度を上げるためにトッププレート３の裏面に設けた補強タイプでも良い。
【００１６】
加熱調理器の本体２には、システムキッチン１に設置した時に、トッププレート３の周囲端面を保護するフレーム１４とシステムキッチン１の天板１ａとの隙間から水の浸入を防止するために、フレーム１４の裏側にパッキン１６を設けるために、フレーム１４とシステムキッチン１の天板１ａとの間に約０.９mmの隙間を設けている。
【００１７】
パッキン１６は、フレーム１４とシステムキッチン１の天板１ａとの隙間から水や煮汁の浸入を防ぐように、四辺のフレーム１４の裏面側を一周に渡って設けている。
【００１８】
保護部材１７は、前記０.９mmの隙間から侵入する液体以外の異物の侵入を防ぎ、侵入する異物からパッキン１６を保護するように、フレーム１４の裏面側にパッキン１６より外周端面側に一周に渡って設けている。
【００１９】
このパッキン１６と保護部材１７は、同じ材料であるシリコン系のスポンジゴムから成型し、その材質のかたさも同じＨＳ１０程度の硬度を備え、成型後の未圧縮時の厚みは、パッキン１６は４.５mm、保護部材１７は３mmとパッキン１６の厚みより保護部材１７の厚みを薄くしている。そして、加熱調理器の本体２をシステムキッチン１に設置すると、パッキン１６と保護部材１７は、フレーム１４とシステムキッチン１の天板１ａとの間に設けられた前記隙間（約０.９mm）と同じ厚さに圧縮される。
【００２０】
図２，図３に示すパッキン１６と保護部材１７は逆三角形の形状をなしているが、形状は四角形でも良い。また、同図でパッキン１６と保護部材１７を個別に分けて図示しているが一体でも良い。
【００２１】
次に、その動作について説明する。
【００２２】
加熱調理器の本体２を、システムキッチン１の上面から落とし込んで設置すると、フレーム１４の裏面に設けられた保護部材１７とパッキン１６は、フレーム１４とシステムキッチン１の天板１ａとの間に挟まり、加熱調理器の本体２の自重によって、フレーム１４とシステムキッチン１の天板１ａとの隙間が０.９mmになるまで押し潰される。
【００２３】
そして、パッキン１６は、押し潰されることで隙間のある方向に広がり、天板１ａに接地する面積を大きくし、さらに押し潰されて圧縮されることで、元の形状に戻ろうとする力によってパッキン１６と天板１ａとの接触力は強固になり、フレーム１４とシステムキッチン１の天板１ａとの間に発生する隙間から水や煮汁などの液体の浸入を確実に防止できる。
【００２４】
また、保護部材１７によって、フレーム１４とシステムキッチン１の天板１ａとの間に設けた隙間から異物の侵入を防ぐので、異物がパッキン１６まで至ることがなくパッキン１６の損傷を防ぐことができる。
【００２５】
また、パッキン１６と保護部材１７とを成型する材料と材質のかたさを同じにすることで、パッキン１６と保護部材１７は天板１ａに発生した凹凸に対して同じ様に馴染むことが可能となり、保護部材１７の影響でパッキン１６の圧縮率を低減することはないので、パッキン１６は液体の浸入を許すことはない。
【００２６】
また、パッキン１６と保護部材１７の厚みは、未圧縮時の状態でパッキン１６の厚みより保護部材１７の厚みを薄くすることで、加熱調理器の本体２をシステムキッチン１に設置した時にパッキン１６と保護部材１７が押し潰された時でも、保護部材１７はフレーム１４よりはみ出さないので外観を損ねることはない。また、パッキン１６は隙間のある方向に広がろうとするが、パッキン１６より外側にある保護部材１７によってフレーム１４の外方向に広がることはないからフレーム１４からはみ出すことはない。
【００２７】
さらに、保護部材１７が天板１ａに発生した凸部に乗り上げた状態で加熱調理器の本体２をシステムキッチン１に設置した時でも、保護部材１７は圧縮率が低いのでフレーム１４を持ち上げることはなく、パッキン１６の圧縮率を低下させることがないので防水効果を低下させることもない。
【符号の説明】
【００２８】
１  システムキッチン
２  加熱調理器の本体
３  トッププレート
１４  フレーム
１６  パッキン
１７  保護部材
【図１】
0005604156.tif 000002
【図２】
0005604156.tif 000003
【図３】
0005604156.tif 000004
【図４】
0005604156.tif 000005